(57)【特許請求の範囲】
【請求項１】
吸入された室内空気を熱交換媒体と熱交換させて吐出す複数台の室内機と、該複数台の室内機と連結されて前記熱交換媒体を外部空気と熱交換させて前記室内機を各々制御する室外機と、から構成され、
前記室外機は、前記室内機にアドレスを設定する自動アドレス設定部と、前記室外機の送受信データを各々通信線規格と室外機規格に適するように変換するデータ変換部と、該データ変換部から変換された前記室外機の送信データを前記室内機に送信すると同時に、前記室内機から伝送されたデータを受信する通信回路部と、を含んでなり、
前記室内機は、停電時に発生するデータ喪失を防ぐために設けられたメモリ部に内蔵されて室内機生産に当たって前記室内機に付与される固有の生産番号に関する情報を貯蔵する生産番号貯蔵部と、前記室外機の自動アドレス設定部から伝送したデータに基づいて前記生産番号貯蔵部に貯蔵された生産番号に関する情報を前記室外機に伝送して前記室外機の自動アドレス設定部から設定した室内機のアドレスを自分のアドレスで設定する自動アドレス設定部と、前記室外機の自動アドレス設定部から設定した室内機のアドレスが貯蔵されるアドレス貯蔵部と、前記室内機の送受信データを各々通信線規格と室内機規格に適するように変換するデータ変換部と、該データ変換部で変換された前記室内機の送信データを前記室外機に送信すると同時に、前記室外機から伝送されたデータを受信する通信回路部と、を含んでなることを特徴とする空調システム。
【請求項２】
前記室外機の自動アドレス設定部は、複数台の室内機にアドレス設定を開始する設定開始信号を伝送し、該信号に応じて前記室内機から伝送された室内機生産番号に関する情報に基づいて前記各室内機のアドレスを設定し、前記の設定されたアドレスに関する情報を前記室内機に伝送するように構成され、
前記室内機の自動アドレス設定部は、前記設定開始信号が受信されると前記室内機生産番号に関する情報を前記室外機の自動アドレス設定部に伝送し、該室外機の自動アドレス設定部から伝送されたアドレスに関する情報を前記アドレス貯蔵部に貯蔵するように構成されることを特徴とする請求項１に記載の空調システム。
【請求項３】
前記室外機の自動アドレス設定部は、前記室内機生産番号に関する情報を１桁ずつ受信して貯蔵し、前記複数台の室内機の生産番号が全て把握された後、前記の貯蔵された生産番号にアドレスをマッピングし、前記のマッピングされたアドレスを前記室内機に設定するように構成されることを特徴とする請求項２に記載の空調システム。
【請求項４】
ａ）生産に当たって室内機に各々付与された固有生産番号に関する情報を複数台の室内機に貯蔵する段階と、
ｂ）前記ａ）の段階で前記複数台の室内機を制御する室外機が前記室内機に貯蔵された前記生産番号に関する情報を１桁ずつ把握する段階と、
ｃ）前記ｂ）の段階で前記室外機が、前記生産番号を構成する複数個の数値中１番目の数値を把握して貯蔵する過程と、
ｄ）前記ｃ）の段階で前記の貯蔵された１番目の数値を有する室内機生産番号の次の数値を把握および貯蔵して、全ての前記生産番号が把握および貯蔵されるまで前記の生産番号の数値を把握する過程および貯蔵する過程を繰り返す過程と、
ｅ）前記ｄ）の段階で前記複数台の室内機の生産番号に関する情報が全て把握されると、前記室外機は前記把握された生産番号に基づいて各室内機にアドレスを設定する段階と、
ｆ）前記ｅ）の段階で前記室外機が前記室内機に設定したアドレスを通じて前記室外機と室内機との間のデータ送受信が行われる段階と、を含めてなることを特徴とする空調システムの制御方法。
【請求項５】
前記ｆ）の段階は、
ｆ−１）前記室内機が前記ｅ）の段階で設定されたアドレスを貯蔵する過程と、
ｆ−２）前記室外機が前記の設定されたアドレスに基づいて制御しようとする室内機を区別する過程と、を含めてなることを特徴とする請求項４に記載の空調システムの制御方法。
【請求項６】
ａ）生産に当たって室内機に各々付与された固有生産番号に関する情報を複数台の室内機に貯蔵する段階と、
ｂ）前記複数台の室内機を制御する室外機が前記複数台の室内機の生産番号に関する情報を１桁ずつ把握する段階と、
ｃ）前記ｂ）の段階で把握された生産番号を組合せ、前記の組合された生産番号を有する室内機が存在するか否かを前記室外機が確認する段階と、
ｄ）前記ｃ）の段階で前記室内機の存在が確認された生産番号にアドレスが各々設定される段階と、
ｅ）前記ｄ）の段階で設定されたアドレスが各室内機に付与される段階と、
ｆ）アドレスが全ての室内機に付与されるまで前記ｃ）の段階ないしｅ）の段階を繰り返す段階と、
ｇ）前記ｅ）の段階で各室内機に付与されたアドレスを通じて前記室外機が前記複数台の室内機を制御する段階と、を含めてなることを特徴とする空調システムの制御方法。
【請求項７】
前記ｃ）の段階において、前記室外機が前記ｂ）の段階で把握された室内機の生産番号をバイト単位に組合せることを特徴とする請求項６に記載の空調システムの制御方法。
【請求項８】
前記ｅ）の段階において、前記室内機は前記付与されたアドレスを貯蔵することを特徴とする請求項６に記載の空調システムの制御方法。
【請求項９】
前記第ｇ）の段階において、前記室外機は前記複数台の室内機に付与されたアドレスに基づいて複数台の室内機を区別し、それによって前記複数台の室内機と各々データを送受信することを特徴とする請求項６に記載の空調システムの制御方法。
【発明の詳細な説明】
【０００１】
【発明の属する技術分野】
本発明は、空調システムおよびその制御方法に関し、特に、室内に据付けられた複数の室内機とこの室内機を制御するために据付けられる室外機を、簡単かつ便利にセッティングし制御できるようにする空調システムおよびその制御方法に関する。
【０００２】
【従来の技術】
マルチエアコンは、一台の室外機と複数台の室内機から構成されたシステムを意味する。このマルチエアコンの有効な動作のためには、室外機が複数台の室内機の各々を区別し、これらの室内機を制御できるようになっていなければならない。
【０００３】
したがって、室外機が室内機を区別できるように複数台の室内機には番号が割り当てられ、各室内機１，２，３，．．．，ｎが存在するようになる。室外機は上記の複数台の室内機をそれらの各々の番号で認識し、各室内機とデータ交換を行う。
【０００４】
このように番号を割り当て、これらの番号が割り当てられた室内機と室外機との相互データ送受信のために、図１に示すように、室外機の各種事項を制御するマイコン(microcomputer)３を内蔵した室外機１と室内機の各種事項を制御するマイコン４を内蔵した複数台の室内機２が通信線５を通じて連結されている。
【０００５】
室外機１と室内機２は制御情報およびオン／オフなどの各種制御信号を前記通信線５を通じて取り交わし、特に、室外機１は、現在取り交わしている内容がどの室内機に関するものか分かるために室内機に付与された番号を把握していなければならない。即ち、室外機がオン信号に応じて特定の室内機を制御しようとする場合、その特定の室内機の番号と位置などに関する情報を予め把握していることにより、複数台の室内機を個別的に制御することができる。
【０００６】
従来は、室内機２にディップスイッチ(dip-switch)６を装着し、据付者がディップスイッチ６を用いて室内機据付現場で各室内機に番号を設定することによって、室外機１が室内機２の番号を把握できるようにしていた。ディップスイッチ６を通じて番号が定められた室内機２は、設定された室内機番号に関する情報を室外機マイコン３に伝達し、これにより室外機マイコン３は複数台の室内機番号を把握し特定の室内機を制御することができる。
【０００７】
しかし、かかる空調システムでは、据付者がディップスイッチを用いて室内機に各々番号を付与しなくてはならず、室内機の台数が多い場合には据付者がディップスイッチを誤って操作する確立が高まり、室内機の番号が重複したり、誤って認識される恐れがあった。
【０００８】
また、上記のディップスイッチはハードウェア的に室内機に直接装着され、結果として部品コストが上昇し、かつ、据付者がディップスイッチを用いて設定した情報を受信するために前記の室内機マイコンは別途のマイコンポートを持たなければならず、このような室内機の開発は相当難しいことであった。
【０００９】
しかも、前述のように室内機台数が増加すると室内機に設定される番号も増加することになる。したがって、室内機には大きな数の番号が設定可能なディップスイッチを装着しなければならず、これはディップスイッチと連結される上記の室内機マイコンのポート数の増加につながり、この場合、高価なチップに室内機マイコンなどを取り替えなければならない問題があった。
【００１０】
【発明が解決しようとする課題】
従って、本発明は、上記の問題点に鑑みてなされたものであり、複数台の室内機と室外機から構成される空調システムにおいて、据付者が複数台の室内機にアドレスを設定する際に発生し得るアドレスの重複や誤りなどを避け、室内機の製作コストを節減し、かつソフトウェア的な方式で簡単かつ正確に室内機にアドレスを設定し得る空調システムおよびその制御方法を提供することにその目的がある。
【００１１】
【課題を解決するための手段】
本発明は、上記の目的を達成するために、吸入された室内空気を熱交換媒体と熱交換させて吐出す複数台の室内機と、この複数台の室内機と連結されて上記の熱交換媒体を外部空気と熱交換させる室外機とから構成され、上記の室内機は、停電時に発生するデータ喪失を防ぐために設けられたメモリ部に内蔵されて室内機生産に当たってその室内機に付与される固有の生産番号に関する情報が貯蔵された生産番号貯蔵部を含み、上記の室外機は上記の複数台の室内機にアドレスを設定することによってそれらの室内機を各々制御することを特徴とする空調システムを提供する。
【００１２】
本発明による空調システムにおける制御方法の１実施形態によれば、生産に当たって室内機に各々付与された固有の生産番号に関する情報を複数台の室内機に貯蔵する第１段階と、この第１段階で上記の複数台の室内機を制御する室外機が前記の室内機に貯蔵された生産番号に関する情報を１桁ずつ把握する第２段階と、この第２段階で上記の複数台の室内機の生産番号に関する情報が全て把握されると、室外機は上記の把握された生産番号に基づいて各室内機にアドレスを設定する第３段階と、この第３段階で室外機が室内機に設定したアドレスを通じて室外機と室内機との間のデータ送受信が行われる第４段階と、を含むことを特徴とする。
【００１３】
本発明による空調システムにおける制御方法の他の実施形態によれば、生産に当たって室内機に各々付与された固有生産番号に関する情報を複数台の室内機に貯蔵する第１段階と、これらの複数台の室内機を制御する室外機が上記の複数台の室内機の生産番号に関する情報を１桁ずつ把握する第２段階と、この第２段階で把握された生産番号を組合せ、この組合せられた生産番号を有する室内機が存在するかどうかを上記の室外機が確認する第３段階と、この第３段階で室内機の存在が確認された生産番号にアドレスが各々設定される第４段階と、この第４段階で設定されたアドレスが各室内機に付与される第５段階と、アドレスが全ての室内機に付与されるまで上記の第３段階ないし第５段階を繰り返す第６段階と、この第６段階で各室内機に付与されたアドレスを通じて上記の室外機が複数台の室内機を制御する第７段階と、を含むことを特徴とする。
【００１４】
【発明の実施の形態】
以下、本発明の好ましい実施形態を添付図面を参照しつつ詳細に説明する。
【００１５】
本発明による空調システムは、図２に示すように、１台の室外機１１と、この室外機１１と通信線１５を通じて連結された複数台の室内機１２とから構成される。ここで、室外機１１は室外機１１の各種事項を制御するマイコン１３を、室内機１２は室内機１２の各種事項を制御するマイコン１４を各々内蔵する。また、室内機１２はＥＥＰＲＯＭ(Electrically Erasable and Programmable Read Only Memory)からなるメモリ部１６をさらに含んで構成され、このメモリ部１６には停電などの突発状況時、室内機１２のデータ喪失を防ぐために室内機１２の運用に関するデータが貯蔵される。例えば、メモリ部１６は、室内機１２の固有生産番号に関する情報を貯蔵することが好ましい。
【００１６】
次いで、図３を参照して本発明による空調システムのさらに詳細な構成を説明する。
【００１７】
まず、室外機１１に内蔵されたマイコン１３は、複数台の室内機１２に自動的にアドレスを設定できる室外機自動アドレス設定部２１を有する。以下、本実施例では、説明の便宜上、複数の室内機１２のうち第１室内機のみと連結される場合について空調システムの構成を説明するものとする。また、室外機マイコン１３は、室外機１１と第１室内機１２の間の送受信データを各々通信線１５の規格と室外機１１の規格に適するように変換するデータ変換部２２をさらに含む。ここで、データ変換部２２を通じて変換されたデータは、第１室内機１２とデータを送受信する室外機通信回路部２３を通じて第１室内機１２と送受信される。
【００１８】
一方、第１室内機１２に内蔵されたメモリ部１６は、第１室内機１２の生産番号に関する情報を貯蔵する生産番号貯蔵部３４と、室外機自動アドレス設定部２１によって設定された第１室内機１２のアドレスに関する情報を貯蔵するアドレス貯蔵部３５とを含む。したがって、室外機自動アドレス設定部２１は、メモリ１６の生産番号貯蔵部３４に貯蔵される生産番号情報に基づいて第１室内機１２のアドレスを設定する役割を果たす。また、室内機マイコン部１４はメモリ１６の生産番号貯蔵部３４にアクセスして生産番号情報を読み出し、この読み出した生産番号情報を室外機１１に伝送する室内機自動アドレス設定部３１を含み、室外機自動アドレス設定部２１は室内機自動アドレス設定部３１から伝送された生産番号情報に基づいて第１室内機１２のアドレスを自動的に設定する。室内機自動アドレス設定部３１は、室外機自動アドレス設定部２１によって設定された第１室内機１２のアドレスに関する情報をメモリ１６のアドレス貯蔵部３５に貯蔵させる機能をも持つ。また、室内機マイコン１４は、室外機マイコン１３と同様に、第１室内機１２と室外機１１の間の送受信データを各々通信線１５の規格と室内機１２の規格に適するように変換するデータ変換部３２をさらに含む。
【００１９】
また、第１室内機１２は、通信線１５に、あるいはそれからデータを送受信する通信回路部３３をさらに含んで構成され、この室内機通信回路部３３と室外機通信回路部２３は通信線１５を通じて実質的にデータを相互送受信する。
【００２０】
ここで、自動的に第１室内機１２のアドレスを設定するために室外機自動アドレス設定部２１はアドレス設定開始を知らせる設定開始信号を第１室内機１２に伝送し、それに応じて室内機１２の自動アドレス設定部３１から伝送された室内機生産番号に関する情報に基づいて第１室内機１２のアドレスを設定し、この設定されたアドレスに関する情報を第１室内機１２に伝送する。
【００２１】
つまり、室内機自動アドレス設定部３１は、上記の設定開始信号を受信すると生産番号貯蔵部３４に貯蔵された室内機生産番号に関する情報を室外機自動アドレス設定部２１に伝送し、室外機自動アドレス設定部２１から各室内機生産番号に基づいて付与した室内機アドレスに関する情報をアドレス貯蔵部３５に貯蔵させ、このアドレス貯蔵部３５に貯蔵されたアドレスを通じて第１室内機１２が室外機１１とデータを送受信し得るようにする。
【００２２】
図４は、本発明による空調システムにおける制御方法の１実施形態を説明する流れ図である。
【００２３】
図４を参照すれば、まず、第１段階(Ｓ１)で、空調のために室内に据付けられる複数台の室内機のメモリ部に内蔵された生産番号貯蔵部に生産番号に関する情報が貯蔵され、上記の複数台の室内機と室内機を制御する室外機が通信線を通じて連結される。
【００２４】
その後、第２段階(Ｓ２)で、アドレス自動設定に関する外部命令がある場合、室外機は自動アドレス設定部を用いて室内機の生産番号貯蔵部に貯蔵された生産番号に関する情報を１桁ずつ把握する。
【００２５】
つまり、上記の第２段階で、室外機自動アドレス設定部は、上記の生産番号を構成する複数個の数値中１番目の数値を把握し、この把握された１番目の数値を貯蔵する。次いで、室外機自動アドレス設定部は、この貯蔵された１番目の数値を有する室内機生産番号の２番目の数値を上記のような数値把握過程と数値貯蔵過程を通じて把握および貯蔵し、この数値把握過程と数値貯蔵過程を複数台の室内機の全生産番号が把握および貯蔵されるまで繰り返す。
【００２６】
第３段階(Ｓ３)では、上記の第２段階で複数台の室内機の生産番号に関する情報が全て把握されることによって室外機自動アドレス設定部は上記の把握された生産番号を有する室内機各々にアドレスすなわち、固有のアドレス番号をマッピングし設定する。
【００２７】
第４段階(Ｓ４)で、室外機は、複数台の室内機の生産番号が全て把握されてアドレス設定が全て完了したかどうか確認する。本実施例では、複数台の室内機の生産番号は室外機自動アドレス設定部に室内機の台数分だけ予め割り当てられたメモリ部(図示せず)などに貯蔵される。したがって、このメモリ部に貯蔵できる生産番号の個数が複数台の室内機の台数と一致すれば、このメモリ部が一杯になり、これは複数台の室内機の生産番号が全て把握されたことを意味する。または、室内機の台数に関する情報を室外機に予めを貯蔵することができ、この場合は、この貯蔵された台数分だけアドレスが室内機に設定されると、室外機は、全ての室内機にアドレス設定が完了したことが分かる。仮に、アドレス設定が完了していなかった場合には第２段階に戻る。
【００２８】
一方、上記の第４段階で全ての室内機に対するアドレス設定が完了すると、第５段階(Ｓ５)に進行し、室内機自動アドレス設定部は、室外機自動アドレス設定部が室内機に上記の設定されたアドレスを付与すると、この付与されたアドレスを室内機アドレス貯蔵部に貯蔵させ、したがってこの貯蔵されたアドレスを通じて室外機と室内機の間のデータ送受信が行われる。
【００２９】
図５ないし図７は、本発明の空調システムのセッティング動作によって発生する信号の波形を示し、アドレス設定概念を説明するための図である。
【００３０】
仮に、室内機の生産番号貯蔵部が４ビットメモリで、生産番号が５桁を有する場合、まず、室外機は自動アドレス設定部を通じて自動アドレス設定を強制的に施すことになる。ここで、図５，６は室外機と連結された複数台の室内機にはまだ室内機アドレス番号が付与されていない状態である。
【００３１】
図５は、本発明によって室外機から出力される信号の波形と、この出力信号に応じて複数台の室内機から室外機に送信される出力信号の波形を示している。即ち、室外機は上記の５桁の数値のうち最後の数値或いは１番目の数値(本実施例では１番目の数値と仮定する)を送信するように各室内機に要求し、これに応じて室内機は生産番号貯蔵部に貯蔵された生産番号のうち１番目の数値を室外機に送信する。
【００３２】
即ち、室外機が設定開始信号を伝送した後０からｆまでの信号を伝送すると、室内機自動アドレス設定部は、室外機から伝送された信号と生産番号の１番目の数値とが一致する場合に限って室外機に応答信号を伝送する。例えば、複数台の室内機の生産番号の１番目の数値が各々０，４，６，８の場合、室内機は図５のような応答信号を送信する。この室内機からの応答信号に応じて室外機自動アドレス設定部は、室内機によって応答された数値を図５に示すように臨時貯蔵する。
【００３３】
図６は、生産番号の１番目の数値に対する把握が終わり、室外機がその次の数値に関する把握および貯蔵を行う過程を示している。ここで、室外機は、図５の過程で複数台の室内機の生産番号の１番目の数値は０，４，６，８しかないということを把握しており、したがって、まず０を生産番号の１番目の数値として有する室内機生産番号の２番目の数値を把握し、続いて４を生産番号の１番目の数値として有する室内機生産番号の２番目の数値を把握する。
【００３４】
図７は、上記の過程を繰り返し行った後、室外機自動アドレス設定部のメモリ部に貯蔵された生産番号および室外機によって行われた最終の探索過程を示している。ここで、室外機の自動アドレス設定部は予め確保されたメモリ部の空間に上記の把握した室内機の生産番号に関する情報を順次的に貯蔵し、各生産番号にしたがって各室内機にアドレス、即ちアドレスナンバーをマッピングして付与することによって自動アドレス設定を完了する。
【００３５】
このように複数台の室内機にアドレスが設定されると、室外機は、室内機に設定されたアドレスを通じて複数台の室内機を制御し、制御しようとする室内機だけを区別することができる。
【００３６】
図８は、本発明による空調システムにおける制御方法の他の実施形態を示す流れ図である。
【００３７】
まず、第１１段階(Ｓ１１)で、室外機は室内機に自動アドレス設定開始を知らせる設定開始信号を伝送する。
【００３８】
次に、第１２段階(Ｓ１２)で、室内機は、１１段階で伝送された設定開始信号に応じて室内機生産番号貯蔵部に貯蔵された生産番号に関する情報を室外機に伝送する。
【００３９】
第１３段階(Ｓ１３)で、室外機は、室内機に貯蔵された生産番号が６バイトからなる場合、生産番号の第４，５のバイトからなる最下位バイトナンバー、生産番号の第２，３のバイトからなる中間バイトナンバー、そして生産番号の第０，１のバイトからなる最上位バイトナンバーに区分して貯蔵する。
【００４０】
第１４段階(Ｓ１４)で、室外機は、上記の最下位バイトナンバーと中間バイトナンバーとを組合せる。
【００４１】
第１５段階(Ｓ１５)で、室外機は、第１４段階で組合せられたナンバーを中間バイトと最下位バイトの生産番号として有する室内機があるか否かを確認する。
【００４２】
仮に、上記の複数個の組合せられたナンバーのうち実際に室内機に貯蔵された生産番号の中間バイトナンバーおよび最下位バイトナンバーと一致しない組合せナンバーが存在する場合は、第１６段階(Ｓ１６)で、この生産番号と一致しない組合せナンバーは無視される。
【００４３】
一方、第１５段階で実際に室内機に貯蔵された生産番号の中間バイトナンバーおよび最下位バイトナンバーと一致する組合せナンバーは、第１７段階(Ｓ１７)で前記の最上位バイトナンバーと組合せられる。
【００４４】
第１８段階(Ｓ１８)で、室外機は、第１７段階で組合せられたナンバーを生産番号として有する室内機があるか否かを確認する。
【００４５】
仮に、上記の複数個の組合せナンバーのうち実際に室内機に貯蔵された生産番号と一致しない組合せナンバーが存在する場合は、第１９段階(Ｓ１９)で、この一致しない組合せナンバーは無視される。
【００４６】
一方、第１８段階で生産番号と一致する組合せナンバーがある場合は、第２０段階(Ｓ２０)で、室外機はこの一致した組合せナンバーを室内機の生産番号として認識し貯蔵すると同時に、この組合せナンバーと一致する生産番号を有する該当する室内機にアドレスを設定する。
【００４７】
第２１段階(Ｓ２１)で、上記のアドレスが設定された室内機と室外機は通信線で連結され、それにより上記の室内機と室外機のデータ送受信が行われる。
【００４８】
図９ないし図１１は、上述の本発明の他の実施形態による制御方法によって、室外機自動アドレス設定部が複数台の室内機の生産番号の最下位バイトナンバーである５番目と６番目の数値（５），（６）、中間バイトナンバーである３番目と４番目の数値（３），（４）、および最上位バイトナンバーである１番目と２番目の数値（１），（２）を各々検索する過程をバー形状で示したものである。
【００４９】
ここで、室外機は、上記の最下位バイトナンバーと中間バイトナンバーを図１２に示すように組合せて実際に室内機に貯蔵された生産番号と一致するか否かを比較し、この生産番号と一致する組合せ番号に対して図１３のように組合せを行う。なお、図１２，１３中の×印は上記の組合せを行うことを意味する。
【００５０】
【発明の効果】
以上のように構成される本発明による空調システムおよびその制御方法によれば、空調のために室内に据付けられる複数台の室内機とこの室内機を制御する室外機とを含んでなるマルチエアコンシステムにおいて、据付者が据付作業に当たって一々室内機のアドレスを直接設定することなく自動的に室外機が室内機にアドレスを設定するため、アドレス設定による時間浪費とエラー発生を減らすとともに使用者の便宜を増大させ、また別途のハードウェアを設けずに自動的にアドレスを設定できるため、マルチエアコンの製作において要求される部品コストを低減できる効果がある。
【図面の簡単な説明】
【図１】従来の空調システムの構成を表すブロック図である。
【図２】本発明による空調システムの構成を表すブロック図である。
【図３】本発明による空調システムのさらに詳細な構成を表すブロック図である。
【図４】本発明による空調システムにおける制御方法の一実施形態を説明する流れ図である。
【図５】図４の制御方法によって室外機が室内機生産番号の１番目の数値を把握する段階をバー形状で表す図である。
【図６】図４の制御方法によって室外機が室内機生産番号の２番目の数値を把握する段階をバー形状で表す図である。
【図７】図４の制御方法によって室外機が室内機の生産番号を把握する最終段階をバー形状で表す図である。
【図８】本発明による空調システムにおける制御方法の他の実施形態を説明する流れ図である。
【図９】図８の制御方法によって室外機が室内機の５番目と６番目の生産ナンバーを把握する段階をバー形状で表す図である。
【図１０】図８の制御方法によって室外機が室内機の３番目と４番目の生産ナンバーを把握する段階をバー形状で表す図である。
【図１１】図８の制御方法によって室外機が室内機の１番目と２番目の生産ナンバーを把握する段階を表す図である。
【図１２】図８の制御方法によって室外機が最下位バイトナンバーと中間バイトナンバーとを組合せる段階をバー形状で表す図である。
【図１３】図８の制御方法によって室外機が図１２で組合せられたナンバーと最上位バイトナンバーとを組合せる段階をバー形状で示す図である。
【符号の説明】
１１…室外機
１２…室内機
１３…室外機マイコン
１４…室内機マイコン
１５…通信線
１６…メモリ部
２１…室外機自動アドレス設定部
２２…室外機データ変換部
２３…室外機通信回路部
３１…室内機自動アドレス設定部
３２…室内機データ変換部
３３…室内機通信回路部
３４…生産番号貯蔵部
３５…アドレス貯蔵部
【図１】
0004170651.tif 000002
【図２】
0004170651.tif 000003
【図３】
0004170651.tif 000004
【図４】
0004170651.tif 000005
【図５】
0004170651.tif 000006
【図６】
0004170651.tif 000007
【図７】
0004170651.tif 000008
【図８】
0004170651.tif 000009
【図９】
0004170651.tif 000010
【図１０】
0004170651.tif 000011
【図１１】
0004170651.tif 000012
【図１２】
0004170651.tif 000013
【図１３】
0004170651.tif 000014